(57)【特許請求の範囲】
【請求項１】
ユーザの額からユーザの後頭部上方に到る第１のヘッドバンド部と、前記第１のヘッドバンド部に接続されユーザの後頭部上方から前記第１のヘッドバンド部に直交してユーザの右乳様突起に到る第２のヘッドバンド部と、前記第１のヘッドバンド部に接続されユーザの後頭部上方から前記第１のヘッドバンド部に直交してユーザの左乳様突起に到る第３のヘッドバンド部とを有するヘッドバンドと、
前記ヘッドバンドに設けられた、ユーザの頭表に接触する電極と
を具備するヘッドギア。
【請求項２】
請求項１に記載のヘッドギアであって、
前記第１のヘッドバンド部は、ユーザの額に当接する第１の当接部を有し、
前記第２のヘッドバンド部は、ユーザの右乳様突起に当接する第２の当接部を有し、
前記第３のヘッドバンド部は、ユーザの左乳様突起に当接する第３の当接部を有し、
前記ヘッドバンドは、弾性を有する材料からなり、前記第１の当接部がユーザの額を押圧し、前記第２の当接部がユーザの右乳様突起を押圧し、前記第３の当接部がユーザの左乳様突起を押圧することによってユーザの頭部に支持される
ヘッドギア。
【請求項３】
請求項１又は２に記載のヘッドギアであって、
前記電極の出力信号を処理する電子回路を収容する本体を着脱可能に支持する本体接続部を有する
ヘッドギア。
【請求項４】
請求項３に記載のヘッドギアであって、
前記本体接続部は、ネジ孔と、前記ネジ孔の周囲に設けられた柔軟性を有する材料からなる筒状のスカートと、前記スカートの周囲に設けられた柔軟性を有しない材料からなる筒状のガイドとを有する
ヘッドギア。
【請求項５】
請求項２に記載のヘッドギアであって、
前記電極は、前記第２の当接部に配置され基準電位を検出する右基準電極と、前記第３の当接部に配置され基準電位を検出する左基準電極を含む
ヘッドギア。
【請求項６】
ユーザの額からユーザの後頭部上方に到る第１のヘッドバンド部と、前記第１のヘッドバンド部に接続されユーザの後頭部上方から前記第１のヘッドバンド部に直交してユーザの右乳様突起に到る第２のヘッドバンド部と、前記第１のヘッドバンド部に接続されユーザの後頭部上方から前記第１のヘッドバンド部に直交してユーザの左乳様突起に到る第３のヘッドバンド部とを有するヘッドバンドと、前記ヘッドバンドに設けられたユーザの頭表に接触する電極とを有するヘッドギアと、
前記ヘッドギアに着脱可能に接続され、前記電極の出力信号を処理する電子回路を収容する本体と
を具備する脳波測定装置。
【請求項７】
ユーザの額からユーザの後頭部上方に到る第１のヘッドバンド部と、
前記第１のヘッドバンド部に接続されユーザの後頭部上方から前記第１のヘッドバンド部に直交してユーザの右乳様突起に到る第２のヘッドバンド部と、
前記第１のヘッドバンド部に接続されユーザの後頭部上方から前記第１のヘッドバンド部に直交してユーザの左乳様突起に到る第３のヘッドバンド部と
を具備するヘッドバンド。
【発明の詳細な説明】
【技術分野】
【０００１】
本技術は、電極をユーザの頭部に配置するためのヘッドバンド、当該ヘッドバンドを備えるヘッドギア及び当該ヘッドギアを備える脳波測定装置に関する。
【背景技術】
【０００２】
脳波は、ユーザの脳活動によって生じる電気信号であり、ユーザの頭部の所定位置に接続された電極によって測定することが可能である。この脳波測定用電極を頭部の所定位置に配置するために、複数の脳波測定用電極が予めセットされたヘッドギアがよく用いられる。
【０００３】
例えば、特許文献１には、ユーザの前頭部から頭頂を経由して後頭部に到るＩ型のフレームを有するヘッドギアが開示されている。当該ヘッドギアにおいてはフレームと、フレームから延伸されたアームに設置された電極がユーザの頭部の所定位置に配置される構成となっている。
【０００４】
また、特許文献２には、ユーザの頭部の大部分を被覆する剛性バンドと、電極を搭載可能な電極マウントが設けられた電極ヘッドセットが開示されている。この電極ヘッドセットにおいては、電極マウントに搭載される電極を交換することが可能に構成されている。
【先行技術文献】
【特許文献】
【０００５】
【特許文献１】特開２０１１−１０４３３８号公報
【特許文献２】特表２００９−５３００６４号公報
【発明の概要】
【発明が解決しようとする課題】
【０００６】
上記のようなヘッドギアあるいはヘッドセットは、ユーザの起床時における脳波測定の場合には問題とならないが、ユーザの睡眠時における脳波測定の場合にユーザの頭部と枕との接触より、装着位置からずれるおそれがある。さらには、上記のようなヘッドギアあるいはヘッドセットは、異なるユーザが装着した場合にはサイズが一致せず、確実な固定ができないおそれがある。
【０００７】
以上のような事情に鑑み、本技術の目的は、電極をユーザの頭部に正確に配置することが可能なヘッドバンド、当該ヘッドバンドを備えるヘッドギア及び当該ヘッドギアを備える脳波測定装置を提供することにある。
【課題を解決するための手段】
【０００８】
上記目的を達成するため、本技術の一形態に係るヘッドギアは、ヘッドバンドと電極とを具備する。
上記ヘッドバンドは、ユーザの額からユーザの後頭部上方に到る第１のヘッドバンド部と、上記第１のヘッドバンド部に接続されユーザの後頭部上方から上記第１のヘッドバンド部に直交してユーザの右乳様突起に到る第２のヘッドバンド部と、上記第１のヘッドバンド部に接続されユーザの後頭部上方から上記第１のヘッドバンド部に直交してユーザの左乳様突起に到る第３のヘッドバンド部とを有する。
上記電極は、上記ヘッドバンドに設けられ、ユーザの頭表に接触する。
【０００９】
この構成によれば、ヘッドバンドがユーザの頭部に装着された際、第１のヘッドバンド部はユーザの額から後頭部上方に掛けて配置され、第２のヘッドバンド部及び第３のヘッドバンド部は後頭部上方から互いに反対方向にに分かれるようにして左右の乳様突起（側頭骨の後下方部にある円錐状の突起）に到達する。即ち、ヘッドバンドは、後頭部上方の各ヘッドバンド部の接続箇所から下方の後頭部には掛からないように配置される。これにより、当該ヘッドギアを装着したユーザが仰向けに就寝する際にヘッドバンドが枕に当接せず、枕との接触によるヘッドバンドのずれ、即ち電極の外れを防止することが可能となる。
【００１０】
上記第１のヘッドバンド部は、ユーザの額に当接する第１の当接部を有し、上記第２のヘッドバンド部は、ユーザの右乳様突起に当接する第２の当接部を有し、上記第３のヘッドバンド部は、ユーザの左乳様突起に当接する第３の当接部を有し、上記ヘッドバンドは、弾性を有する材料からなり、上記第１の当接部がユーザの額を押圧し、上記第２の当接部がユーザの右乳様突起を押圧し、上記第３の当接部がユーザの左乳様突起を押圧することによってユーザの頭部に支持されてもよい。
【００１１】
この構成によれば、ヘッドバンドは、第１の当接部、第２の当接部及び第３の当接部の３箇所で弾性によりユーザの頭部を挟持するようにして支持される。このため、ユーザの寝返り等によりヘッドバンドが歪み、電極が外れても、ヘッドバンドの弾性力により形状が回復して電極の電気的接触が回復することが可能となる。
【００１２】
上記ヘッドギアは、上記電極の出力信号を処理する電子回路を収容する本体を着脱可能に支持する本体接続部を有してもよい。
【００１３】
この構成によれば、本体をヘッドギアに着脱することが可能となり、構成の異なる本体も利用することが可能となる。
【００１４】
上記本体接続部は、ネジ孔と、上記ネジ孔の周囲に設けられた柔軟性を有する材料からなる筒状のスカートと、上記スカートの周囲に設けられた柔軟性を有しない材料からなる筒状のガイドとを有してもよい。
【００１５】
この構成によれば、本体接続部に接続される本体はヘッドギアに対して柔軟性をもって固定されるため、ヘッドバンドの弾性変形を妨げないように本体を接続することが可能となる。柔軟性を有するスカートによって本体とヘッドギアの間の配線が保護されると共に、ガイドによって、本体のヘッドギアに対する極端な傾斜が防止される。
【００１６】
上記電極は、上記第２の当接部に配置され基準電位を検出する右基準電極と、上記第３の当接部に配置され基準電位を検出する左基準電極を含んでもよい。
【００１７】
脳波測定における基準電極は、ユーザの頭部における脳波の影響の小さい部位に配置されるべきであるが、左右の乳様突起は基準電極を配置するのに適している。このため、第２当接部及び第３当接部に左右の基準電極を配置することにより、別途基準電極を配置する必要がなく、ヘッドギアを装着するだけで基準電極の配置が可能となる。
【００１８】
上記目的を達成するため、本技術の一形態に係る脳波測定装置は、ヘッドギアと本体とを具備する。
上記ヘッドギアは、ユーザの額からユーザの後頭部上方に到る第１のヘッドバンド部と、上記第１のヘッドバンド部に接続されユーザの後頭部上方から上記第１のヘッドバンド部に直交してユーザの右乳様突起に到る第２のヘッドバンド部と、上記第１のヘッドバンド部に接続されユーザの後頭部上方から上記第１のヘッドバンド部に直交してユーザの左乳様突起に到る第３のヘッドバンド部とを有するヘッドバンドと、上記ヘッドバンドに設けられたユーザの頭表に接触する電極とを有する。
上記本体は、上記ヘッドギアに着脱可能に接続され、上記電極の出力信号を処理する電子回路を収容する。
【００１９】
上記目的を達成するため、本技術の一形態に係るヘッドバンドは、第１のヘッドバンド部と、第２のヘッドバンド部と、第３のヘッドバンド部とを具備する。
上記第１のヘッドバンド部は、ユーザの額からユーザの後頭部上方に到る。
上記第２のヘッドバンド部は、上記第１のヘッドバンド部に接続されユーザの後頭部上方から上記第１のヘッドバンド部に直交してユーザの右乳様突起に到る。
上記第３のヘッドバンド部は、上記第１のヘッドバンド部に接続されユーザの後頭部上方から上記第１のヘッドバンド部に直交してユーザの左乳様突起に到る。
【発明の効果】
【００２０】
以上のように、本技術によれば、電極をユーザの頭部に正確に配置することが可能なヘッドバンド、当該ヘッドバンドを備えるヘッドギア及び当該ヘッドギアを備える脳波測定装置を提供することが可能となる。
【図面の簡単な説明】
【００２１】
【図１】本技術の実施形態に係る脳波測定装置の外観を示す斜視図である。
【図２】同脳波測定装置のユーザに装着された状態を示す斜視図である。
【図３】同脳波測定装置のユーザに装着された状態を示す斜視図である。
【図４】同脳波測定装置の分解斜視図である。
【図５】同脳波測定装置の本体接続部を示す斜視図である。
【図６】同脳波測定装置の機能的構成を示す模式図である。
【図７】同脳波測定装置の本体をバージョンアップした状態を示す模式図である。
【図８】同脳波測定装置のヘッドギアをバージョンアップした状態を示す模式図である。
【図９】同脳波測定装置のヘッドギアの作成方法を示す模式図である。
【図１０】同脳波測定装置の本体の用途変更を示す模式図である。
【図１１】同脳波測定措置の本体を接続可能な６極ヘッドギアを示す模式図である。
【図１２】同脳波測定装置の各電極によって測定された生体信号（脳波及び眼電図）の時間に対するプロットである。
【図１３】同脳波測定装置によって測定された皮膚接触抵抗の時間に対するプロットである。
【発明を実施するための形態】
【００２２】
本技術の実施形態に係る脳波測定装置について説明する。
【００２３】
［脳波測定装置の構成］
図１は、本実施形態に係る脳波測定装置１の外観を示す斜視図である。図２及び図３は、ユーザに装着された脳波測定装置１を示す外観図であり、図２はユーザの左側方からみた図、図３はユーザの後方からみた図である。これらの図に示すように脳波測定装置１は、ヘッドギア１１と本体１２から構成されている。本体１２はヘッドギア１１と着脱可能に接続されている。
【００２４】
図４は、脳波測定装置１の分解斜視図である。同図に示すように、ヘッドギア１１は、ヘッドバンド１１１、右アーム１１２、左アーム１１３、各種の電極１１４ａ〜１１４ｈ、本体接続部１１５、第１当接部１１６、第２当接部１１７及び第３当接部１１８を有する。
【００２５】
右アーム１１２及び左アーム１１３はヘッドバンド１１１に接続され、各種電極１１４ａ〜１１４ｈはヘッドバンド１１１、右アーム１１２又は左アーム１１３のいずれかに設置されている。本体接続部１１５は、ヘッドバンド１１１に設けられている。第１当接部１１６、第２当接部１１７及び第３当接部１１８は、それぞれヘッドバンド１１１の端部に設けられている。
【００２６】
ヘッドバンド１１１は、弾性を有する材料、例えば合成樹脂等によって形成され、第１ヘッドバンド部１１１ａ、第２ヘッドバンド部１１１ｂ及び第３ヘッドバンド部１１１ｃから構成されている。
【００２７】
第１ヘッドバンド部１１１ａは、図２及び図３に示すように、ユーザの額から後頭部上方に到る板状の部材であり、頭部形状に合わせて湾曲した形状に形成されている。第１ヘッドバンド部１１１ａの端部には、ユーザの額に当接する第１当接部１１６が設けられている。第１当接部１１６はスポンジやゴム等の弾性材料からなるものとすることができる。
【００２８】
第２ヘッドバンド部１１１ｂは、図２及び図３に示すように、ユーザの後頭部上方から第１ヘッドバンド部１１１ａに直交してユーザの右の乳様突起（側頭骨の後下方部にある円錐状の突起）に到る板状の部材であり、頭部形状に合わせて湾曲した形状に形成されている。第２ヘッドバンド部１１１ｂの端部には、ユーザの右乳様突起に当接する第２当接部１１７が設けられている。第２当接部１１７はスポンジやゴム等の弾性材料からなるものとすることができる。
【００２９】
第３ヘッドバンド部１１１ｃは、図２及び図３に示すように、ユーザの後頭部上方から第１ヘッドバンド部１１１ａに直交してユーザの左の乳様突起に到る板状の部材であり、頭部形状に合わせて湾曲した形状に形成されている。第３ヘッドバンド部１１１ｃの端部には、ユーザの右乳様突起に当接する第３当接部１１８が設けられている。第３当接部１１８はスポンジやゴム等の弾性材料からなるものとすることができる。
【００３０】
ヘッドバンド１１１は、上記のように第１ヘッドバンド部１１１ａ、第２ヘッドバンド部１１１ｂ及び第３ヘッドバンド部１１１ｃから構成されており、弾性によりユーザの頭部に装着される。この際、第１当接部１１６がユーザの額に、第２当接部１１７がユーザの右乳様突起に、第３当接部１１８がユーザの左乳様突起にそれぞれ押圧され、ヘッドギア１１はこの３点によって支持される。
【００３１】
第１ヘッドバンド部１１１ａ、第２ヘッドバンド部１１１ｂ及び第３ヘッドバンド部１１１ｃは、Ｔ字型に接続されており、ユーザの後頭部上方において、左右に分岐する形状となっている。これにより、ユーザが仰向けに就寝している場合においてヘッドバンド１１１が枕に接触しないため、ヘッドギア１１のずれが発生せず、安定して脳波を測定することが可能となると共に、ユーザの睡眠を妨げない。
【００３２】
右アーム１１２は、ユーザの右こめかみに配置される右眼電電極１１４ａ（後述）を支持するためのアームであり、第１ヘッドバンド部１１１ａの第１当接部１１６の右側面から右こめかみに向かって延伸された形状とすることができる。なお、右眼電電極１１４ａが設けられない場合には右アーム１１２は必ずしも必要ではない。
【００３３】
左アーム１１３は、ユーザの左こめかみに配置される左眼電電極１１４ｂ（後述）を支持するためのアームであり、第１ヘッドバンド部１１１ａの第１当接部１１６の左側面から左こめかみに向かって延伸された形状とすることができる。なお、左眼電電極１１４ｂが設けられない場合には左アーム１１３は必ずしも必要ではない。
【００３４】
電極１１４ａ〜１１４ｈは、ヘッドギア１１に設けられる各種の電極であり、上記右眼電電極１１４ａ及び左眼電電極１１４ｂに加え、Ｃｚ測定電極１１４ｃ、Ｐｚ測定電極１１４ｄ、Ｐ４測定電極１１４ｅ、Ｐ３測定電極１１４ｆ、右基準電極１１４ｇ、左基準電極１１４ｈが設けられるものとすることができる。これらの配置（名称）は国際１０／２０法に準拠したものであるが、本実施形態に係る脳波測定装置１においては必ずしもこの電極配置である必要はなく、必要に応じて異なる電極配置とすることも可能である。
【００３５】
右眼電電極１１４ａ及び左眼電電極１１４ｂはユーザの両こめかみに当接し、眼電図（ＥＯＧ：electro oculogram)を測定するための電極である。右眼電電極１１４ａ及び左眼電電極１１４ｂはユーザのこめかみに電気的に接触が可能なものであればよく、例えば電解液が含浸された弾性体からなるものとすることが可能である
【００３６】
Ｃｚ測定電極１１４ｃは、第１ヘッドバンド部１１１ａの頭頂部に相当する位置に設けられ、ユーザの頭頂部に当接する電極である。Ｐｚ測定電極１１４ｄは、第１ヘッドバンド部１１１ａの後頭部上方に相当する位置に設けられて、ユーザの後頭部上方に当接する電極である。
【００３７】
Ｐ４測定電極１１４ｅは、第２ヘッドバンド部１１１ｂの右側頭部上方に相当する位置に設けられ、ユーザの右側頭部上方に当接する電極である。Ｐ３測定電極１１４ｆは、第３ヘッドバンド部１１１ｃの左側頭部情報に相当する位置に設けられ、ユーザの左側頭部上方に当接する電極である。
【００３８】
Ｃｚ測定電極１１４ｃ、Ｐｚ測定電極１１４ｄ、Ｐ４測定電極１１４ｅ及びＰ３測定電極１１４ｆはそれぞれ、ユーザの頭表に電気的に接触が可能なものであればよく、例えば電解液が含浸された弾性体からなるものとすることが可能である。Ｃｚ測定電極１１４ｃ、Ｐｚ測定電極１１４ｄ、Ｐ４測定電極１１４ｅ及びＰ３測定電極１１４ｆはそれぞれ接触する位置の電位（脳波）を検出する。
【００３９】
右基準電極１１４ｇは上記第２当接部１１７に配置され、ユーザの右乳様突起に当接する電極である。左基準電極１１４ｈは上記第３当接部１１８に配置され、ユーザの左乳様突起に当接する電極である。右基準電極１１４ｇ及び左基準電極１１４ｈはユーザの左右乳様突起に電気的に接触が可能なものであればよく、例えば電解液が含浸された弾性体からなるものとすることが可能である。右基準電極１１４ｇ及び左基準電極１１４ｈは、上記各電極１１４ａ〜１１４ｆの基準電位を取得する。
【００４０】
なお、右基準電極１１４ｇが第２当接部１１７に、左基準電極１１４ｈが第３当接部１１８にそれぞれ配置されることにより、ヘッドギア１１がユーザの頭部に装着されるだけでこれらの基準電極が配置される。したがって、ヘッドギア１１の装着後に別途これらの基準電極を配置する必要がなく、利便性が高い。
【００４１】
上記各電極１１４ａ〜１１４ｈは、図示しない配線によって本体接続部１１５に接続され、本体接続部１１５に本体１２が装着された際には、本体１２に電気的に接続されるものとすることができる。
【００４２】
本体接続部１１５は、第１ヘッドバンド部１１１ａに設けられ、本体１２が着脱可能に接続される構造に構成されている。図５は本体接続部１１５を示す斜視図である。同図に示すように、本体接続部１１５は本体１２を一箇所でのみ支持するため、第１ヘッドバンド部１１１ａ等の柔軟性を損なうことなく本体１２を支持することが可能である。
【００４３】
具体的には、本体接続部１１５は、ネジ孔１１５ａ、スカート１１５ｂ、ガイド１１５ｃを有し、ネジ孔１１５ａの周囲にスカート１１５ｂが、スカート１１５ｂの周囲にガイド１１５ｃが配置されている。スカート１１５ｂはエラストマ等の柔軟性を有する材料からなる筒状の部材であり、ガイド１１５ｃは合成樹脂等の柔軟性のない材料からなる筒状の部材である。
【００４４】
本体１２はネジ孔１１５ａにネジ１２ａによって螺合され、本体接続部１１５に接続される。これにより本体１２はある程度の柔軟性をもって支持されると共に、ガイド１１５ｃによって本体接続部１１５に対する過剰な傾きが防止される。さらに、スカート１１５ｂが本体１２と本体接続部１１５の間の配線を保護し、かつ本体１２の本体接続部１１５に対する柔軟性を妨げない。
【００４５】
本体接続部１１５をこのような構成とすることにより、ヘッドバンド１１１がユーザの頭部形状に合わせて変形する際、本体１２がヘッドバンド１１１の変形を妨げない。仮に本体接続部１１５が複数箇所においてヘッドバンド１１１に接続されるとすると、ヘッドバンド１１１の弾性変形が妨げられることになる。即ち、本実施形態に係る本体接続部１１５は、本体を一点で支持する構造であるため、ヘッドバンド１１１をユーザの頭部にフィットさせることが可能となる。
【００４６】
本体１２は、上述のようにヘッドギア１１に接続されて用いられる。図６は脳波測定装置１の機能的構成を示す模式図である。同図に示すように、本体１２には、アンプ１２１、ＡＤ（Analog/Digital）変換器１２２、データ処理回路１２３、記録部１２４及び送信部１２５が搭載されている。
【００４７】
ヘッドギア１１の各電極１１４ａ〜１１４ｈによって取得された電気信号は、本体接続部１１５を経由して本体１２に到達する。当該電気信号は、アンプ１２１によって増幅され、ＡＤ変換器１２２によってデジタル信号に変換され、データ処理回路１２３によって
モンタージュ処理（測定電極と基準電極との差分出力）等のデータ処理がなされる。このような処理によって脳波データが得られる。
【００４８】
脳波データは、記録部１２４によって内蔵メモリやメモリーカード等に記憶され、あるいは送信部１２５によって外部機器に送信される。なお、このような本体１２の機能的構成は例示であり、これと異なる構成とすることも可能である。
【００４９】
上記のように本体１２は、ヘッドギア１１と着脱可能に構成されているが、これにより次のような利点がある。第１に、本体１２又はヘッドギア１１を別々にバージョンアップすることが可能となる。
【００５０】
図７は、本体１２をバージョンアップした場合の例を示す模式図であり、図８はヘッドギア１１をバージョンアップした場合の例を示す模式図である。これらの図に示すように、追加の測定項目（例えば、動脈血酸素飽和度や鼻口呼吸測定等）を測定可能な回路Ｃ１、Ｃ２を本体１２に搭載し、あるいは追加の測定項目を測定可能なセンサＣ３、Ｃ４をヘッドギア１１に搭載することにより、これらの測定項目の測定が可能となる。
【００５１】
第２に、各ユーザに適するサイズのヘッドギア１１を利用することができる。例えば、複数のユーザで脳波測定装置１を使用する場合に、各人に適するサイズのヘッドギア１１を準備すれば、一基の本体１２を使いまわすことが可能となる。これは、各人にそれぞれ脳波測定装置１を準備するよりも低コストである。
【００５２】
各ユーザに適するサイズのヘッドギア１１は、予めＳ、Ｍ、Ｌ等の複数段階のサイズの中から選択してもよく、次のようにしてユーザ毎に個別に作成する（オーダーメイド方式）ことも可能である。図９は、ヘッドギア１１のオーダーメイド方式による作成方法の模式図である。
【００５３】
まず、図９（ａ）に示すように、ユーザの頭部形状を測定する。また、図９（ｂ）に示すように、耐熱素材からなる頭型３０を準備する。頭型３０は放射状に伸びる８枚のバンド状の形状に形成され、頭部の歪み用の穴３０ａと、頭部直径用の穴３０ｂが各バンドに形成されている。
【００５４】
さらに、図９（ｃ）に示すように、プラスチック板３１をヘッドバンド１１１の形状のカット板３２にカットする。カット板３２には、電極／本体取付穴３２ａが形成されている。また、図９（ｄ）に示すように、頭型３０を頭部形状より少し小さい形に曲げて針金３３で引っ張り、型を形成する。
【００５５】
カット板３２を頭型３０を型として熱で曲げ、電極１１４ａ〜１１４ｈや本体接続部１１５等を取り付け、図９（ｅ）に示すようにヘッドギア１１を作成する。このようにして作成したヘッドギア１１は、当該ユーザの頭部形状に一致したものとなる。
【００５６】
第３に、本体１２を脳波計と異なる別の用途に利用することが可能となる。図１０は、本体１２の用途変更を示す模式図である。図１０には、ユーザの胴体に巻回される装具４０に接続された本体１２を示す。同図に示すように、電極が搭載された装具を変更することにより、例えば本体１２を心電計や筋電計の本体として利用することが可能となる。
【００５７】
また、本体１２を形状の異なるヘッドギアに接続することも可能である。図１１は、本体１２接続することが可能な６極ヘッドギア２１を示す斜視図である。同図に示すように、６極ヘッドギア２１は、ヘッドバンド２１１と電極マウント２１２の２つの部材から構成されている。電極マウント２１２は、ユーザの頭頂部に相当する位置においてヘッドバンド２１１と接続されている。
【００５８】
ヘッドバンド２１１は、弾性を有する材料、例えば合成樹脂等によって形成され、第１ヘッドバンド部２１１ａ、第２ヘッドバンド部２１１ｂ及び第３ヘッドバンド部２１１ｃから構成されている。
【００５９】
第１ヘッドバンド部２１１ａはユーザの額から後頭部下方に到る板状の部材であり、頭部形状に合わせて湾曲した形状に形成されている。第１ヘッドバンド部２１１ａには、リファレンス電極固定用の孔２１１ｄが設けられている。
【００６０】
第２ヘッドバンド部２１１ｂはユーザの後頭部下方から第１ヘッドバンド部２１１ａに直交してユーザの右耳下方に到る板状の部材であり、頭部形状に合わせて湾曲した形状に形成されている。第２ヘッドバンド部２１１ｂには、Ｏ２測定電極固定用の孔２１１ｅと、右基準電極固定用の孔２１１ｆが設けられている。
【００６１】
第３ヘッドバンド部２１１ｃはユーザの後頭部下方から第１ヘッドバンド部２１１ａに直交してユーザの左耳下方に到る板状の部材であり、頭部形状に合わせて湾曲した形状に形成されている。第３ヘッドバンド部２１１ｃには、Ｏ１測定電極固定用の孔２１１ｇと、左基準電極固定用の孔２１１ｈが設けられている。
【００６２】
電極マウント２１２は、弾性を有する材料、例えば合成樹脂等によって形成され、第１マウント部２１２ａ、第２マウント部２１２ｂ、第３マウント部２１２ｃ及び第４マウント部２１２ｄから構成されている。
【００６３】
第１マウント部２１２ａは、ユーザの頭頂部からＦ４測定電極に至る板状の部材であり、頭部形状に合わせて湾曲した形状に形成されている。第１マウント部２１２ａには、Ｆ４測定電極固定用の孔２１２ｅが設けられている。
【００６４】
第２マウント部２１２ｂは、ユーザの頭頂部からＣ４測定電極に至る板状の部材であり、頭部形状に合わせて湾曲した形状に形成されている。第２マウント部２１２ｂには、Ｃ４測定電極固定用の孔２１２ｆが設けられている。
【００６５】
第３マウント部２１２ｃは、ユーザの頭頂部からＦ３測定電極に至る板状の部材であり、頭部形状に合わせて湾曲した形状に形成されている。第３マウント部２１２ｃには、Ｆ３測定電極固定用の孔２１２ｇが設けられている。
【００６６】
第４マウント部２１２ｄは、ユーザの頭頂部からＣ３測定電極に至る板状の部材であり、頭部形状に合わせて湾曲した形状に形成されている。第４マウント部２１２ｄには、Ｃ３測定電極固定用の孔２１２ｈが設けられている。
【００６７】
また、電極マウント２１２には、電極マウント２１２をヘッドバンド２１１に固定するための孔２１２ｉが設けられている。電極マウント２１２はこの孔２１２ｉを用いて、ネジ留め等によってヘッドバンド２１１に固定されるものとすることができる。なお、ヘッドバンド２１１及び電極マウント２１２はユーザの頭部の大きさに応じて個別に異なるサイズのものに変更することも可能である。
【００６８】
このような６極ヘッドギア２１により、国際１０／２０法に規定されたＦ３、Ｆ４、Ｃ３、Ｃ４、Ｏ１及びＯ２の位置に測定電極を配置することが可能である。この電極配置は例えば睡眠障害の判定に用いられる。
【００６９】
本実施形態に係る脳波測定装置１は以上のような構成を有する。
【００７０】
［脳波測定装置の動作］
上述のように、本実施形態に係る脳波測定装置１は、そのヘッドバンド１１１の形状によって、生体信号測定、特に睡眠中の生体信号測定において電極１１４ａ〜１１４ｈが外れにくく、かつ外れた場合であっても電気的接触が回復し易くなるように構成されている。
【００７１】
図１２は、脳波測定装置１の各電極によって測定された生体信号（脳波及び眼電図）の時間に対するプロットである。「頭頂脳波」はＣｚ測定電極１１４ｃ、「後頭部脳波」はＰｚ測定電極１１４ｄ、「左眼電」は左眼電電極１１４ｂ、「右眼電」は右眼電電極１１４ａによってそれぞれ測定されたものである。
【００７２】
同図に示すように、頭頂脳波にノイズが発生している領域ではＣｚ測定電極１１４がユーザの頭表から外れている状態であるが、体動をきっかけにしてノイズが低減し、即ちＣｚ測定電極１１４ｃが復帰することがわかる。
【００７３】
また、このような電極の復帰は、皮膚接触抵抗によっても確認することができる。皮膚接触抵抗は電極と頭表の間の接触抵抗であり、電極が頭表から外れると著しく増加するものである。図１３は、脳波測定装置１によって測定された皮膚接触抵抗の時間に対するプロットである。同図に示すように、皮膚接触抵抗が一時的に増加しても（図中に矢印で示す）元の値に戻っており、即ち、電極が頭表から外れても復帰することが可能であるといえる。
【００７４】
以上のように、本実施形態に係る脳波測定装置１においては、ヘッドバンド１１１がユーザの頭部に装着された際、第１ヘッドバンド部１１１ａは額から後頭部上方に掛けて配置され、第２ヘッドバンド部１１１ｂ及び第３ヘッドバンド部１１１ｃは後頭部上方から互いに反対方向にに分かれるようにして左右の乳様突起に到達する。即ち、ヘッドバンド１１１は、後頭部上方の各ヘッドバンド部の接続箇所から下方の後頭部には掛からないように配置される。これにより、ヘッドギア１１を装着したユーザが仰向けに就寝する際にヘッドバンド１１１が枕に当接せず、枕との接触によるヘッドバンド１１１のずれ、即ち各電極１１４ａ〜１１４ｈの外れを防止することが可能となる。
【００７５】
さらに、ヘッドバンド１１１は、第１当接部１１６、第２当接部１１７及び第３当接部１１８の３箇所で弾性によりユーザの頭部を挟持するようにして支持される。このため、ユーザの寝返り等によりヘッドバンド１１１が歪み、各電極１１４ａ〜１１４ｈが外れても、ヘッドバンド１１１の弾性力により形状が回復して各電極１１４ａ〜１１４ｈの電気的接触が回復することが可能となる。
【００７６】
また、本実施形態に係る脳波測定装置１においては本体１２をヘッドギア１１に着脱することが可能であるので、本体１２やヘッドギア１１のそれぞれのバージョンアップ、ヘッドギア１１のサイズ調整、本体１２の用途変更等が可能となる。
【００７７】
さらに、本体接続部１１５の構成により、本体１２はヘッドギア１１に対して柔軟性をもって固定されるため、ヘッドバンド１１１の弾性変形を妨げないように本体を接続することが可能である。これにより、ヘッドバンド１１１がずれた際の各電極１１４ａ〜１１４ｈの復帰や、ユーザ頭部へのフィット等に必要なヘッドバンド１１１の弾性を確保することが可能となる。
【００７８】
加えて、第２当接部１１７に右基準電極１１４ｇを、第３当接部１１８に左基準電極１１４ｈを配置することにより、これらの基準電極を別途配置する必要がなく、ヘッドギア１１を装着するだけでこれらの基準電極の配置が可能となる。
【００７９】
以上のように、本技術は、電極１１４ａ〜１１４ｈをユーザの頭部に正確に配置することが可能なヘッドバンド１１１、ヘッドバンド１１１を備えるヘッドギア１１及びヘッドギア１１を備える脳波測定装置１を提供することが可能なものである。
【００８０】
本技術は上記各実施形態にのみ限定されるものではなく、本技術の要旨を逸脱しない範囲内において変更することが可能である。
【００８１】
なお、本技術は以下のような構成も採ることができる。
【００８２】
（１）
ユーザの額からユーザの後頭部上方に到る第１のヘッドバンド部と、上記第１のヘッドバンド部に接続されユーザの後頭部上方から上記第１のヘッドバンド部に直交してユーザの右乳様突起に到る第２のヘッドバンド部と、上記第１のヘッドバンド部に接続されユーザの後頭部上方から上記第１のヘッドバンド部に直交してユーザの左乳様突起に到る第３のヘッドバンド部とを有するヘッドバンドと、
上記ヘッドバンドに設けられた、ユーザの頭表に接触する電極と
を具備するヘッドギア。
【００８３】
（２）
上記（１）に記載のヘッドギアであって、
上記第１のヘッドバンド部は、ユーザの額に当接する第１の当接部を有し、
上記第２のヘッドバンド部は、ユーザの右乳様突起に当接する第２の当接部を有し、
上記第３のヘッドバンド部は、ユーザの左乳様突起に当接する第３の当接部を有し、
上記ヘッドバンドは、弾性を有する材料からなり、上記第１の当接部がユーザの額を押圧し、上記第２の当接部がユーザの右乳様突起を押圧し、上記第３の当接部がユーザの左乳様突起を押圧することによってユーザの頭部に支持される
ヘッドギア。
【００８４】
（３）
上記（１）又は（２）に記載のヘッドギアであって、
上記電極の出力信号を処理する電子回路を収容する本体を着脱可能に支持する本体接続部を有する
ヘッドギア。
【００８５】
（４）
上記（１）から（３）のいずれかひとつに記載のヘッドギアであって、
上記本体接続部は、ネジ孔と、上記ネジ孔の周囲に設けられた柔軟性を有する材料からなる筒状のスカートと、上記スカートの周囲に設けられた柔軟性を有しない材料からなる筒状のガイドとを有する
ヘッドギア。
【００８６】
（５）
上記（１）〜（４）のいずれかひとつに記載のヘッドギアであって、
上記電極は、上記第２の当接部に配置され基準電位を検出する右基準電極と、上記第３の当接部に配置され基準電位を検出する左基準電極を含む
ヘッドギア。
【００８７】
（６）
ユーザの額からユーザの後頭部上方に到る第１のヘッドバンド部と、上記第１のヘッドバンド部に接続されユーザの後頭部上方から上記第１のヘッドバンド部に直交してユーザの右乳様突起に到る第２のヘッドバンド部と、上記第１のヘッドバンド部に接続されユーザの後頭部上方から上記第１のヘッドバンド部に直交してユーザの左乳様突起に到る第３のヘッドバンド部とを有するヘッドバンドと、上記ヘッドバンドに設けられたユーザの頭表に接触する電極とを有するヘッドギアと、
上記ヘッドギアに着脱可能に接続され、上記電極の出力信号を処理する電子回路を収容する本体と
を具備する脳波測定装置。
【００８８】
（７）
ユーザの額からユーザの後頭部上方に到る第１のヘッドバンド部と、
上記第１のヘッドバンド部に接続されユーザの後頭部上方から上記第１のヘッドバンド部に直交してユーザの右乳様突起に到る第２のヘッドバンド部と、
上記第１のヘッドバンド部に接続されユーザの後頭部上方から上記第１のヘッドバンド部に直交してユーザの左乳様突起に到る第３のヘッドバンド部と
を具備するヘッドバンド。
【符号の説明】
【００８９】
１…脳波測定装置
１１…ヘッドギア
１２…本体
１１１…ヘッドバンド
１１１ａ…第１ヘッドバンド部
１１１ｂ…第２ヘッドバンド部
１１１ｃ…第３ヘッドバンド部
１１４ａ〜１１４ｈ…電極
１１５…本体接続部
１１６…第１当接部
１１７…第２当接部
１１８…第３当接部
【図１】
0005884394.tif 000002
【図２】
0005884394.tif 000003
【図３】
0005884394.tif 000004
【図４】
0005884394.tif 000005
【図５】
0005884394.tif 000006
【図６】
0005884394.tif 000007
【図７】
0005884394.tif 000008
【図８】
0005884394.tif 000009
【図９】
0005884394.tif 000010
【図１０】
0005884394.tif 000011
【図１１】
0005884394.tif 000012
【図１２】
0005884394.tif 000013
【図１３】
0005884394.tif 000014